(57)【要約】【課題】溶接といった固定手段を取らないで、容器本体に壁掛け用の掛部を容易に設けることができるようにした消火器を得る。【解決手段】容器本体２の上部側面に、建物等の壁面に設けた受け部に掛ける掛部１５が設けられた消火器１であって、容器本体２の胴部１１の外周に嵌合可能で且つ下部に容器本体２の底部１３を支持する支持部１４を設けた樹脂製筒体１２の上部に掛部１５を設け、樹脂製筒体１２を容器本体２の胴部１１の外周に嵌合した。【選択図】図１
0003216250.tif 000002
【実用新案登録請求の範囲】
【請求項１】
容器本体の上部側面に、建物等の壁面に設けた受け部に掛ける掛部が設けられた消火器であって、
前記容器本体の胴部外周に嵌合可能で且つ下部に前記容器本体の底部を支持する支持部を設けた樹脂製筒体の上部に前記掛部を設け、前記樹脂製筒体を前記容器本体の胴部外周に嵌合したことを特徴する消火器。
【請求項２】
前記樹脂製筒体の下部に消火薬剤放出ホースのノズルを受けるノズル受け部を設けたことを特徴とする請求項１に記載の消火器。
【考案の詳細な説明】
【技術分野】
【０００１】
本考案は、住宅やビル等の建物の壁に掛けられるようにした消火器に関するものである。
【背景技術】
【０００２】
住宅やビル等の建物における消火器の設置は、建物の壁に設置するといったことが多く行われている。消火器を壁面に設置する手段として、壁面にフック或いは管状の受け部を設け、そして、消火器には、容器本体の胴部に、壁面に設けた受け部に掛け止めする掛け部を設け、容器の胴部に設けた掛部を壁面に設けた受け部に掛けるようにして、消火器を壁面に設置している（例えば、特許文献１参照。）。
【０００３】
従来、消火器の容器本体は一般に鉄製であり、容器本体に設ける掛部は溶接により固定して設けられている。
【先行技術文献】
【特許文献】
【０００４】
【特許文献１】特開２００２−１２６１１６号
【考案の概要】
【考案が解決しようとする課題】
【０００５】
上記のように、従来は、消火器の容器本体が一般に鉄製であったが、近年、軽量で錆びにくいといった面から、容器本体がアルミニウム製の消火器が多く使用されている。この消火器を壁掛け用として使用する場合、容器本体に掛部を設ける必要があるが、アルミニウムは熱に弱く、容器本体に掛部を溶接すると、容器本体が熱により変形してしまうおそれがあり、溶接による掛部の固定は難しく、また、面倒であるといった問題があった。
【０００６】
本考案者等は、アルミニウムのような熱に弱く、また溶接が困難な材質で成形された消火器の容器本体であっても、容易に壁掛け用の掛部を設けられるようにするための試験研究を重ねた結果、容器本体がアルミニウム製の消火器に設置される、容器の底部保護と安定性保持の機能を持つ樹脂製スカートに着目し、本考案を完成させるに至った。
【０００７】
本考案の目的は、溶接といった固定手段を取らないで、容器本体に壁掛け用の掛部を容易に設けることができるようにした消火器を提供することにある。
【課題を解決するための手段】
【０００８】
上記の目的を達成するために、請求項１に記載の考案は、容器本体の上部側面に、建物等の壁面に設けた受け部に掛ける掛部が設けられた消火器であって、前記容器本体の胴部外周に嵌合可能で且つ下部に前記容器本体の底部を支持する支持部を設けた樹脂製筒体の上部に前記掛部を設け、前記樹脂製筒体を前記容器本体の胴部外周に嵌合したことを特徴する。
【０００９】
請求項１に記載の考案によれば、前記容器本体の胴部外周に嵌合可能な樹脂製筒体の上部に前記掛部を設け、前記樹脂製筒体を前記容器本体の胴部外周に嵌合したので、前記容器本体の胴部に前記掛部を溶接といった手段によらないで設けることができ、前記容器本体に熱負荷が掛からないことから、前記容器本体がアルミニウムやその他の熱に弱い材質で成形されたものであっても、前記容器本体に前記掛部を容易に設けることができる。
【００１０】
さらには、前記容器本体の胴部外周に嵌合した前記樹脂製筒体により、前記容器本体の胴部表面を保護することができる。
【００１１】
請求項２に記載の考案は、請求項１に記載の、前記樹脂製筒体の下部に消火薬剤放出ホースのノズルを受けるノズル受け部を設けたことを特徴とする。
【００１２】
請求項２に記載の考案によれば、前記樹脂製筒体の下部に消火薬剤放出ホースのノズルを受けるノズル受け部を設けたので、前記掛部の位置と前記ノズル受け部の位置を一定とすることができる。
【考案の効果】
【００１３】
本考案に係る消火器によれば、溶接といった固定手段を取らないで、容器本体に壁掛け用の掛部を設けることができるので、容器本体がアルミニウムやその他の熱に弱い材質で成形されたものであっても、容器本体に前記掛部を容易に設けることができる。
【図面の簡単な説明】
【００１４】
【図１】本考案に係る消火器の実施の形態の一例を示す一部縦断正面図である。
【図２】図１に示す消火器の平面図である。
【図３】図１に示す消火器の斜視図である。
【図４】図１の樹脂製筒体を示す縦断面図である。
【図５】本例の型消火器の壁掛け状態を示す説明図である。
【考案を実施するための形態】
【００１５】
以下、本考案に係る消火器の実施の形態の一例を図１乃至図５を参照して詳細に説明する。
【００１６】
図１は本例の消火器を示す一部縦断正面図、図２は図１に示す消火器の平面図、図３は図１に示す消火器の斜視図、図４は図１の樹脂製筒体を示す縦断面図、図５は本例の消火器の壁掛け状態を示す説明図である。
【００１７】
本例の消火器１は、容器本体２の口部３にバルブケース４がユニオン方式のキャップ５で締め付け固定されている。バルブケース４には、一端を容器本体２内に開口し他端が容器本体２外に開口する消火薬剤流路６が形成されており、容器本体２内に開口する開口部にサイフォン管７が取り付けられ、容器本体２外に開口する開口部には先端にノズル８を備えた消火薬剤放出ホース９が取り付けられている。
【００１８】
バルブケース４には消火薬剤流路６を開閉する操作レバー１０が備えられ、操作レバー１０の操作により消火薬剤流路６を開き、消火薬剤を放出するようになっている。
【００１９】
本例では、容器本体２はアルミニウムで成形されている。
【００２０】
容器本体２の胴部１１の外周には、胴部１１の上側を残した状態で樹脂製筒体１２が嵌合している。樹脂製筒体１２は、その下部に、樹脂製筒体１２内に嵌合した容器本体２の底部１３を支持するに支持部１４が設けられている。本例では、支持部１４は、樹脂製筒体１２の下部の内周面から環状に突出するように設けられているが、これに限られるものではなく、樹脂製筒体１２の下部の開口部を塞ぐ底板（図示せず。）を設け、この底板を支持部１４とすることもできる。
【００２１】
また、樹脂製筒体１２の上部外周面には、後述する壁面に設けた受け部に掛ける掛部１５が設けられている。掛部１５の形状は特に限定されるものではなく、本例では環状に形成されている。
【００２２】
また、本例では、樹脂製筒体１２の下部外周面に、消火薬剤放出ホース９のノズル８を受けるノズル受け部１６が設けられている。
【００２３】
樹脂製筒体１２に設けられている支持部１４、掛部１５、ノズル受け部１６は、樹脂製筒体１２の成型時に一体成型により設けられている。
【００２４】
このように構成された消火器１の壁への設置は、図５に示すように、壁面１７に設けたフック状の受け部１８に、消火器１の容器本体２に嵌合してある樹脂製筒体１２に設けた環状の掛部１５を掛け止めすることにより、消火器１を壁面１７に設置することができる。
【００２５】
このように本例の消火器１によれば、容器本体２の胴部１１の外周に嵌合可能で且つ下部に容器本体２の底部１３を支持する支持部１４を設けた樹脂製筒体１２の上部に掛部１５を設け、樹脂製筒体１２を容器本体２の胴部１１の外周に嵌合したので、容器本体２の胴部１１に掛部１５を溶接といった手段によらないで設けることができ、容器本体２に熱負荷が掛からないことから、容器本体２がアルミニウムやその他の熱に弱い材質で成形されたものであっても、容器本体２に掛部１５を容易に設けることができる。
【００２６】
また、本例では、樹脂製筒体１２の下部に消火薬剤放出ホース９のノズル８を受けるノズル受け部１６を設けたので、掛部１５の位置とノズル受け部１６の位置を一定とすることができる。
【００２７】
そして、樹脂製筒体１２に設けられている掛部１５やノズル受け部１６は、樹脂製筒体１２の成型時に一体に成型により設けられるので、製造が容易である。
【００２８】
さらには、容器本体２の胴部１１の外周に嵌合した樹脂製筒体１２により、容器本体２の胴部１１の表面を保護することができる。
【符号の説明】
【００２９】
１  消火器
２  容器本体
３  口部
４  バルブケース
５  キャップ
６  消火薬剤流路
７  サイフォン管
８  ノズル
９  消火薬剤放出ホース
１０  操作レバー
１１  胴部
１２  樹脂製筒体
１３  底部
１４  支持部
１５  掛部
１６  ノズル受け部
１７  壁面
１８  受け部
【図１】
0003216250.tif 000003
【図２】
0003216250.tif 000004
【図３】
0003216250.tif 000005
【図４】
0003216250.tif 000006
【図５】
0003216250.tif 000007